(57)【特許請求の範囲】
【請求項１】
軽量鉄骨造の建物の床・天井構造であって、建物上層階の床梁材（１）・・上に上層階の床パネル（２）・・を敷設するとともに、前記床梁材（１）・・に下層階の天井下地材（３）を吊り下げ支持した床・天井構造において、前記天井下地材（３）に、重量床衝撃音低減用の複数のダイナミックダンパー（４０）・・を分散配置して、前記床パネル（２）・・の面密度を１００〜１２０ｋｇ／ｍ2とし、前記天井下地材（３）の１ｍ2当たりにおける前記ダイナミックダンパー（４０）・・の重量を２〜４ｋｇとしたことを特徴とする建物の床・天井構造。
【請求項２】
前記床パネル（２）・・の面密度を１２０ｋｇ／ｍ2とし、前記天井下地材（３）の１ｍ2当たりにおける前記ダイナミックダンパー（４０）・・の重量を３ｋｇとした請求項１記載の建物の床・天井構造。
【請求項３】
前記床パネル（２）・・は、押出成形セメント板（４）の中空部（４ａ）・・に砂状無機材（５）・・を微動可能に充填してなり、その厚みを１００ｍｍとした請求項１又は２記載の建物の床・天井構造。
【請求項４】
前記天井下地材（３）は、前記床梁材（１）・・に軽量床衝撃音低減用の複数の防振吊り具（９）・・を介して吊り下げ支持した複数の第１野縁受け（１０）・・と、前記床梁材（１）・・に吊り下げ支持することなく、前記第１野縁受け（１０）・・に対して略平行に配設した複数の第２野縁受け（１１）・・と、前記第１及び第２野縁受け（１０）（１１）・・に対して略直交するように、前記第１及び第２野縁受け（１０）（１１）・・の下側に取り付けた複数の野縁（１２）・・とからなり、前記ダイナミックダンパー（４０）・・を前記第２野縁受け（１１）・・のみに装着した請求項１乃至３のいずれかに記載の建物の床・天井構造。
【請求項５】
前記第２野縁受け（１１）・・に装着した前記ダイナミックダンパー（４０）・・を、前記第２野縁受け（１１）・・と前記野縁（１２）・・との交差部付近に配置した請求項４記載の建物の床・天井構造。
【請求項６】
前記第２野縁受け（１１）・・の本数を調整して、前記ダイナミックダンパー（４０）・・の個数を増減させることで、重量床衝撃音に対する遮断性能を調整可能とした請求項４又は５記載の建物の床・天井構造。
【請求項７】
前記ダイナミックダンパー（４０）・・は、質量体（４１）と弾性体（４２）とを組み合わせてなり、その弾性体（４２）によって質量体（４１）を弾性支持するようにして、前記第２野縁受け（１１）・・にその高さ寸法内に収まるように水平方向に張り出した状態で装着した請求項４乃至６のいずれかに記載の建物の床・天井構造。
【発明の詳細な説明】
【技術分野】
【０００１】
この発明は、例えば住宅やマンション等の建物の床・天井構造に関する。
【背景技術】
【０００２】
従来より、住宅の上層階から下層階へ伝搬する重量床衝撃音を低減するにあたって、例えば上層階の床パネルの厚みを増大させたり、床パネルの比重を上げることによって、床パネルの重量を重くするといった方法が採られている。しかしながら、重量床衝撃音の遮断性能について例えば１０ｄＢの大幅な向上を図るためには、床パネルの重量を４倍程度にする必要があり、構造躯体への負荷が大きくなるといった不具合があった。しかも、床パネルの厚みを増大させて、床パネルの重量を重くする場合、特に軽量鉄骨系プレハブ住宅では、プレハブシステム全体の収まりを変更する必要があることから、容易に採用することができなかった。
【０００３】
一方、本発明者らは、上層階の床梁材に吊り下げ支持した下層階の天井下地材に、重量床衝撃音低減用の複数のダイナミックダンパーを分散配置させるといった対策を提案している（例えば、特許文献１及び特許文献２参照）。この場合、構造躯体に大きな負荷をかけることなく、重量床衝撃音を低減することができるが、重量床衝撃音の遮断性能について例えば１０ｄＢの大幅な向上を図るためには、高価なダイナミックダンパーの個数を対数的に増やす必要があり、材料費や施工費の高騰を招くといった不具合があった。また、ダンパー単体の付加質量を増して制振効果を上げることは、天井下地材の強度からは困難である。
【先行技術文献】
【特許文献】
【０００４】
【特許文献１】特開２００６−３４２５８０号公報
【特許文献２】特開２０１０−１５９５５３号公報
【発明の概要】
【発明が解決しようとする課題】
【０００５】
上記のように、床パネルの重量を重くしたり、天井下地材にダイナミックダンパーを設けるといった単一的な対策だけでは、重量床衝撃音の遮断性能について例えば１０ｄＢの大幅な向上を図ることは、特に軽量鉄骨系プレハブ住宅において構造的、コスト的に限界があり、これらを効果的に組み合わせた複合的な対策が望まれていた。
【０００６】
この発明は、上記に鑑み、床パネルの重量付加による遮音対策、及び、天井下地材におけるダイナミックダンパーの分散配置による遮音対策を好適に組みわせた複合的な遮音対策を講じることで、構造躯体の負担を極力抑え、コスト低減を図りながらも、床衝撃音遮断性能を大幅に向上することができる床・天井構造の提供を目的とする。
【課題を解決するための手段】
【０００７】
上記課題を解決するため、この発明の建物の床・天井構造は、軽量鉄骨造の建物の床・天井構造であって、建物上層階の床梁材１・・上に上層階の床パネル２・・を敷設するとともに、前記床梁材１・・に下層階の天井下地材３を吊り下げ支持したものであって、前記天井下地材３に、重量床衝撃音低減用の複数のダイナミックダンパー４０・・を分散配置して、前記床パネル２・・の面密度を１００〜１２０ｋｇ／ｍ2とし、前記天井下地材３の１ｍ2当たりにおける前記ダイナミックダンパー４０・・の重量を２〜４ｋｇとしたことを特徴とする。
【０００８】
具体的に、前記床パネル２・・の面密度を１２０ｋｇ／ｍ2とし、前記天井下地材３の１ｍ2当たりにおける前記ダイナミックダンパー４０・・の重量を３ｋｇとしている。
【０００９】
また、前記床パネル２・・は、押出成形セメント板４の中空部４ａ・・に砂状無機材５・・を微動可能に充填してなり、その厚みを１００ｍｍとしている。
【００１０】
さらに、前記天井下地材３は、前記床梁材１・・に軽量床衝撃音低減用の複数の防振吊り具９・・を介して吊り下げ支持した複数の第１野縁受け１０・・と、前記床梁材１・・に吊り下げ支持することなく、前記第１野縁受け１０・・に対して略平行に配設した複数の第２野縁受け１１・・と、前記第１及び第２野縁受け１０、１１・・に対して略直交するように、前記第１及び第２野縁受け１０、１１・・の下側に取り付けた複数の野縁１２・・とからなり、前記ダイナミックダンパー４０・・を前記第２野縁受け１１・・のみに装着している。
【００１１】
さらにまた、前記第２野縁受け１１・・に装着した前記ダイナミックダンパー４０・・を、前記第２野縁受け１１・・と前記野縁１２・・との交差部付近に配置している。
【００１２】
また、前記第２野縁受け１１・・の本数を調整して、前記ダイナミックダンパー４０・・の個数を増減させることで、重量床衝撃音に対する遮断性能を調整可能としている。
【００１３】
さらに、前記ダイナミックダンパー４０・・は、質量体４１と弾性体４２とを組み合わせてなり、その弾性体４２によって質量体４１を弾性支持するようにして、前記第２野縁受け１１・・にその高さ寸法内に収まるように水平方向に張り出した状態で装着している。
【発明の効果】
【００１４】
この発明の床・天井構造においては、床パネルの重量付加による遮音対策、及び、天井下地材におけるダイナミックダンパーの分散配置による遮音対策を好適に組みわせた複合的な遮音対策を講じている。すなわち、一般的なＡＬＣからなる床パネルの重量の２倍以下とした面密度１００〜１２０ｋｇ／ｍ2（好ましくは、１２０ｋｇ／ｍ2）の床パネルを使用するとともに、天井下地材において複数のダイナミックダンパーを１ｍ2当たり２〜４ｋｇ（好ましくは、３ｋｇ）で分散配置している。これにより、床パネルの重量付加を軽減して構造躯体の負担を極力抑え、高価なダイナミックダンパーの個数増大を軽減してコスト低減を図りながら、重量床衝撃音の遮断性能を大幅に向上することができる。
【００１５】
また、押出成形セメント板の中空部に砂状無機材を微動可能に充填してなる高遮音床パネルを使用することで、その厚みを一般的なＡＬＣからなる床パネルと略同等の１００ｍｍ程度に抑えながら、重量床衝撃音及び軽量床衝撃音の遮断性能を向上させることができ、特に軽量鉄骨系プレハブ住宅に採用した場合であっても、プレハブシステム全体の収まりを変更しないで済むことができる。
【００１６】
さらに、天井下地材の第１野縁受けを、床梁材に軽量床衝撃音低減用の複数の防振吊り具を介して吊り下げ支持することで、重量床衝撃音だけでなく、軽量床衝撃音の遮断性能も大幅に向上することができる。しかも、天井下地材において、床梁材に吊り下げ支持することのない第２野縁受けを別途設けることで、天井下地材の剛性を高めることができる。これにより、天井板の撓みを抑えることができ、防振吊り具を使用して軽量床衝撃音対策を講じているにもかかわらず、これら防振吊り具における防振ゴムのクリープ変形に起因する天井板の部分的な垂れ下がりを防止して、良好な施工状態を長期に亘って維持することができる。加えて、現場での加工（カット調整）を余儀なくされる第１野縁受けや強度的に弱い野縁に対しては、ダイナミックダンパーを組み込まないようにして、現場での加工（カット調整）を極力なくすようにした施工が可能であって強度的にも強い第２野縁受けのみに、ダイナミックダンパーを装着することで、高価で再生困難なダイナミックダンパーを廃棄せずに済み、またダイナミックダンパーを安定した状態で配置することができる。
【００１７】
また、第２野縁受けと野縁との交差部付近にダイナミックダンパーを配置することで、天井下地材における剛性の高い箇所にダイナミックダンパーを配置した状態となり、ダイナミックダンパーによる重量床衝撃音の低減効果を効果的に発揮させることができる。
【００１８】
さらに、床梁材に吊り下げ支持した第１野縁受けをそのままにして、吊り下げ支持していない施工自由度の高い第２野縁受けの本数を調整することで、ダイナミックダンパーの設置個数を増減させて、重量床衝撃音に対する遮断性能を調整可能としているので、大幅な設計変更等を伴うことなく、遮音性能を簡単に調節することができる。
【００１９】
さらにまた、ダイナミックダンパーを、第２野縁受けにその高さ寸法内に収まるように水平方向に張り出した状態で装着することで、床下空間における配管や断熱材、吸音材等の施工に際して、ダイナミックダンパーが邪魔にならないようにすることができる。
【図面の簡単な説明】
【００２０】
【図１】この発明の一実施形態に係る建物の床・天井構造の一部破断斜視図である。
【図２】同じくその要部縦断面図である。
【図３】床パネルの斜視図である。
【図４】天井下地材の要部斜視図である。
【図５】天井下地材の概略平面図である。
【図６】防振吊り具の側面図である。
【図７】防振吊り具の防振ゴム付近の正面図である。
【図８】第２野縁受けのダンパー装着部分の分解斜視図である。
【図９】第２野縁受けと野縁の交差部付近の分解斜視図である。
【図１０】第１野縁受けの端部付近の縦断面図である。
【図１１】第２野縁受けの端部付近の斜視図である。
【図１２】野縁及び壁際野縁の端部付近の縦断面図である。
【図１３】重量床衝撃音の遮断性能試験の結果を示す図である。
【図１４】軽量床衝撃音の遮断性能試験の結果を示す図である。
【発明を実施するための形態】
【００２１】
以下、この発明の実施形態を図面に基づいて詳細に説明する。この発明の一実施形態に係る床・天井構造は、例えば軽量鉄骨系のプレハブ住宅に適用されている。この床・天井構造は、図１及び図２に示すように、建物上層階の例えばＨ形鋼からなる床梁材１・・上に上層階の床パネル２・・が敷設され、床梁材１・・に下層階の天井下地材３が吊り下げ支持されている。
【００２２】
床パネル２は、図３に示すように、押出成形セメント板４の互いに略平行な複数の中空部４ａ・・の要所要所に、袋詰めした砂状無機材５・・を微動可能に充填してなり、その面密度が１００〜１２０ｋｇ／ｍ2（好ましくは、１２０ｋｇ／ｍ2）であって、その厚みが１００ｍｍ程度とされている。
【００２３】
この床パネル２においては、高い剛性を有するとともに、床衝撃音の伝搬に伴う振動時に砂状無機材５・・が微動して振動を打ち消す効果を有していて、一般的なＡＬＣからなる床パネル（面密度が６５ｋｇ／ｍ2、厚みが１００ｍｍ）と比べて、重量床衝撃音及び軽量床衝撃音の遮断性能を５ｄＢ程度向上することができ、しかも重量については２倍以下、厚みについては略同等に抑えられている。なお、この床パネル２は、床梁材１の上フランジ１ａ上に止め付け金具６によって止め付けられている。また、床パネル２・・上には、防湿シート８０、パーティクルボード８１、フローリング等の床仕上げ材８２が順次敷設されている。
【００２４】
天井下地材３は、図１、図４及び図５に示すように、上層階の床梁材１・・に軽量床衝撃音低減用の複数の防振吊り具９・・を介して吊り下げ支持されて、互いに略平行に配された複数の第１野縁受け１０・・と、床梁材１・・に吊り下げ支持されることなく、第１野縁受け１０・・に対して略平行に配設された複数の第２野縁受け１１・・と、これら第１及び第２野縁受け１０、１１・・に対して略直交するように、第１及び第２野縁受け１０、１１・・の下側に取り付けられた複数の野縁１２・・とを備え、これら野縁受け１０、１１・・及び野縁１２・・が全体的に平面視格子状に組み付けられている。
【００２５】
また、建物内壁１３には、第１及び第２野縁受け１０、１１・・に対して略直交するように、複数の壁際野縁１４・・が固定されている。そして、野縁１２・・及び壁際野縁１４・・の下側に、２枚の石膏ボード等を重ね張りしてなる天井板１５が取り付けられている。なお、天井下地材３の上側には、図１に示すように、吸音材８３が適宜設けられている。
【００２６】
防振吊り具９は、図４、図６及び図７に示すように、床梁材１に装着される梁装着部材２０と、この梁装着部材２０に取り付けられた圧縮型の防振ゴム２１と、この防振ゴム２１に貫通支持されて、第１野縁受け１０に連結される吊りボルト２２とを備えている。
【００２７】
梁装着部材２０は、鋼板を折曲形成してなり、開放部分が上向きとなった略溝形状に形成されている。そして、その底面部２５が防振ゴム２１を装着する装着部とされ、底面部２５の両側端から立ち上がった一対の側面部２６、２６が床梁材１に係合する係合部とされている。
【００２８】
側面部２６、２６には、嵌合溝２６ａ、２６ａが横向きに夫々形成されており、これら嵌合溝２６ａ、２６ａに床梁材１の下フランジ１ｂを嵌め込むようにして、側面部２６、２６が床梁材１に係合される。そして、この係合状態において、底面部２５にねじ込んだ固定ボルト２７の先端を下フランジ１ｂの下面に押し付けることで、梁装着部材２０が床梁材１に装着されるようになっている。
【００２９】
防振ゴム２１は、略中央部を括れさせた略円筒状のゴム体を上下の鋼製プレートによって挟み込んだ構造となっていて、梁装着部材２０の側面部２６、２６間において底面部２５上から立ち上がるようにして装着されている。
【００３０】
吊りボルト２２は、その上端部にカシメナット２８が螺合された状態で、防振ゴム２１及び梁装着部材２０の底面部２５を上下方向に貫通している。なお、カシメナット２８は、防振ゴム２１の上側プレートに回転可能に係合されるようになっている。
【００３１】
そして、吊りボルト２２の下端部は、後述する第１野縁受け１０の上側フランジ３０を上下方向に貫通している。この吊りボルト２２の下端部には、上下一対のナット２９、２９が螺合され、これらナット２９、２９を締め付けて第１野縁受け１０の上側フランジ３０を挟み込むことで、吊りボルト２２の下端部に第１野縁受け１０が取り付けられている。このように、軽量床衝撃音低減用の複数の防振吊り具９・・を使用して天井下地材３（第１野縁受け１０・・）を吊り下げ支持することで、単なる吊り具を使用して吊り下げ支持するときと比べて、軽量床衝撃音の遮断性能を５ｄＢ程度向上することができるようになっている。
【００３２】
第１野縁受け１０は、図４及び図６に示すように、開放部分を側方へ向けるように配置された溝形鋼からなり、上下一対のフランジ３０、３０と、それらフランジ３０、３０の長手方向に沿った一端部同士を連結するウエブ３１とを備えている。
【００３３】
第２野縁受け１１は、図４及び図８に示すように、開放部分を側方へ向けるように配置された溝形鋼からなり、第１野縁受け１０と同様の構造となっている。すなわち、この第２野縁受け１１は、上下一対のフランジ３０、３０と、それらフランジ３０、３０の長手方向に沿った一端部同士を連結するウエブ３１とを備え、ウエブ３１には複数のボルト挿通用孔３１ａ・・が長手方向に適宜間隔をあけて形成されている。そして、第２野縁受け１１には、重量床衝撃音低減用の複数のダイナミックダンパー４０・・が予め組み込まれている。
【００３４】
ダイナミックダンパー４０は、図８及び図９に示すように、略直方体状に形成された例えば金属製の質量体４１と、この質量体４１よりも一回り小さな略直方体状に形成された例えば合成ゴム製の弾性体４２とを接着一体化してなり、弾性体４２における質量体４１側とは反対側の側面には、一対のボルト挿通用孔４３ａ、４３ａを有する装着板４３が取り付けられている。
【００３５】
そして、ダイナミックダンパー４０は、その装着板４３を第２野縁受け１１のウエブ３１に当接させて、互いに一致するボルト挿通用孔３１ａ、４３ａ・・に挿通したボルト４４、４４にナット４５、４５を螺合して締め付けることにより、弾性体４２によって質量体４１を弾性支持するようにして、剛性の高い第２野縁受け１１のウエブ３１に、その高さ寸法内に収まるように水平方向に張り出した状態で装着されている。これにより、床下空間における配管や断熱材、吸音材８３等の施工に際して、ダイナミックダンパー４０が邪魔になり難くなっている。なお、ダイナミックダンパー４０は、重量床衝撃音遮断性能を向上させるために例えば６３Ｈｚ帯域の振動に同調して振動するようにチューニングされている。
【００３６】
第２野縁受け１１・・は、床梁材１・・に吊り下げ支持されておらず、構造上支障をきたすことなく、比較的容易に増設したり、取り除いたりすることができることから、このような施工自由度の高い第２野縁受け１１・・の本数を適宜調整することで、ダイナミックダンパー４０・・の設置個数を増減させて、重量床衝撃音に対する遮断性能を簡単に調整可能としている。
【００３７】
ここで、第１及び第２野縁受け１０、１１・・のうち第２野縁受け１１・・のみに、ダイナミックダンパー４０・・が予め組み込んであって、第１野縁受け１０・・には組み込まないようにしたのは、以下の理由による。すなわち、床梁材１・・に吊り下げ支持されて、天井荷重を支える第１野縁受け１０・・は、天井面の端から端まで１本で連続していることが良好な剛性を確保する上で好ましい。このため、第１野縁受け１０・・の施工に際しては、比較的長尺なものを用意して、天井面の形状や大きさに応じて現場で加工（カット調整）することが一般的になされている。従って、このような現場での加工（カット調整）を余儀なくされる第１野縁受け１０・・に対しては、ダイナミックダンパー４０・・をあえて組み込まないようにして、加工（カット調整）に伴ってダイナミックダンパー４０・・が端材として廃棄されないようにしている。一方、床梁材１・・に吊り下げ支持されない第２野縁受け１１・・については、天井面の端から端まで１本で連続していなくても、良好な剛性を確保する上でさほど問題はない。このため、長さの異なる数種類のものを予め用意して、これらを天井面の形状や大きさに応じて選択的に組み合わせながら配置することで、現場での加工（カット調整）を極力なくすようにした施工が可能であり、第２野縁受け１１・・に予めダイナミックダンパー４０・・を組み込んでおいても、ダイナミックダンパー４０・・を廃棄せずに済むからである。なお、第１野縁受け１０・・に対してダイナミックダンパー４０・・を組み込まなくても、第１野縁受け１０・・は第２野縁受け１１・・に比べて本数が極端に少ないことから、重量床衝撃音の遮断性能に支障をきたすことはない。
【００３８】
そして、第１及び第２野縁受け１０、１１・・は、図５に示すように、約３３３ｍｍの間隔Ｌ１をあけて同一平面上に配置されており、ダイナミックダンパー４０・・は、それぞれの第２野縁受け１１・・に対して長手方向に約３３３ｍｍの間隔Ｌ２をあけて装着されている。従って、天井下地材３において、複数のダイナミックダンパー４０・・が縦方向及び横方向に等間隔（約３３３ｍｍ）をあけて同一平面上に分散配置された状態となっている。そして、天井下地材３においては、その１ｍ2当たり（平面から見て１ｍ四方の範囲内）にダイナミックダンパー４０・・が例えば９〜１６個設けられていて、その１ｍ2当たりのダイナミックダンパー４０・・の総重量が２〜４ｋｇ（好ましくは、３ｋｇ）に設定されている。これにより、ダイナミックダンパーを設けていない天井下地材を採用するときと比べて、重量床衝撃音の遮断性能を５ｄＢ程度向上することができるようになっている。
【００３９】
野縁１２は、図６及び図９に示すように、例えば断面略ロ字状の鋼製筒材からなり、その側面片５０、５０にはその長手方向に沿って係止溝５１、５１が夫々形成されている。この野縁１２は、複数の野縁支持具６０・・を介して第１及び第２野縁受け１０、１１・・の下側に跨って取り付けられている。
【００４０】
野縁支持具６０は、図６及び図９に示すように、上面部６１と、この上面部６１の両側端から延出した一対の側面部６２、６２とによって下向きの略コ字状に形成され、その上面部６１には、一対の係合片６３、６３が形成されており、側面部６２、６２には、係止爪６４、６４が夫々形成されている。
【００４１】
この野縁支持具６０は、係合片６３、６３を第１野縁受け１０や第２野縁受け１１の下側フランジ３０に係合させることで、第１野縁受け１０や第２野縁受け１１に取り付けられている。また、野縁支持具６０の側面部６２、６２間に野縁１２の上部を差し入れて、係止爪６４、６４を野縁１２の係止溝５１、５１に係合させることで、野縁１２が支持されている。
【００４２】
そして、野縁１２・・は、約３３０ｍｍの間隔をあけて同一平面上に配置されており、これら野縁１２・・と第２野縁受け１１・・との交差部（連結部）付近にダイナミックダンパー４０・・が配置された状態となっている。各交差部付近は、剛性が高いことから、このような各交差部付近にダイナミックダンパー４０・・を配置することで、ダイナミックダンパー４０・・による重量床衝撃音の低減効果を効果的に発揮させることができる。なお、野縁１２・・にダイナミックダンパー４０・・を組み込まないようにしたのは、野縁１２・・は、野縁受け１０、１１・・に比べて強度的に弱く、ダイナミックダンパー４０・・の取付強度を十分に確保することができないからである。
【００４３】
壁際野縁１４は、図１０及び図１１に示すように、例えば断面略ロ字状の鋼製筒材からなり、野縁１２と同様の構造となっている。この壁際野縁１４は、側面片５０、５０を横方向に貫通する複数のビス６５、６５によって建物内壁１３に固定されて、野縁１２・・に対して略平行に配されている。
【００４４】
そして、建物内壁１３に固定された壁際野縁１４上には、建物内壁１３に対向する第１野縁受け１０・・の端部が設置されている。具体的には、第１野縁受け１０・・の端部の下側フランジ３０・・に、例えば発泡樹脂製又はゴム製の平板状の緩衝材３２が接着剤等によって予め貼り付けられていて、第１野縁受け１０・・の端部は、建物内壁１３に対して縁切りされた状態で、壁際野縁１４の上面に緩衝材３２を介在させながら載置されている。これにより、上層階から下層階へ床衝撃音が伝搬するときに、振動する第１野縁受け１０・・が建物内壁１３に干渉することによって生じる衝突音、振動する第１野縁受け１０・・が建物内壁１３に固定した壁際野縁１４と擦れ合うことによる擦れ音の発生を防止することができる。なお、第１野縁受け１０・・の端部は、このように緩衝材３２を介して壁際野縁１４上に設置するだけでなく、上記の野縁支持具６０を使用して壁際野縁１４上に設置しても良い。
【００４５】
一方、建物内壁１３に対向する第２野縁受け１１・・の端部は、図５及び図１１に示すように、壁際野縁１４に対して離間した状態で配置されて、第２野縁受け１１・・の端部と壁際野縁１４との間には隙間が確保されている。これにより、第２野縁受け１１・・の配置に際して融通が利くようになり、多少の寸法誤差や施工誤差が生じていても、第２野縁受け１１・・を支障なく配設することができる。しかも、上層階から下層階へ床衝撃音が伝搬するときに、振動する第２野縁受け１１・・が建物内壁１３に干渉することによって生じる衝突音、さらには振動する第２野縁受け１１・・が建物内壁１３に固定した壁際野縁１４と擦れ合うことによる擦れ音の発生を防止することができる。
【００４６】
なお、野縁１２・・及び壁際野縁１４・・の端部は、図１１及び図１２に示すように、野縁１２・・及び壁際野縁１４・・に対して略直交するように、建物内壁１３にビス７０・・止めされた断面コ字状の溝形鋼からなるランナー７１に固定されている。具体的には、ランナー７１の室内側に開放する溝部に、野縁１２・・及び壁際野縁１４・・の端部が差し込まれた状態で、ランナー７１に野縁１２・・及び壁際野縁１４・・の端部がビス７２・・止めされている。
【００４７】
上述のように、この床・天井構造においては、面密度１２０ｋｇ／ｍ2（一般的なＡＬＣからなる床パネルの２倍以下）、厚さ１００ｍｍ（一般的なＡＬＣからなる床パネルと略同等）の床パネル２・・を使用するとともに、防振吊り具９・・によって吊り下げ支持した天井下地材３において複数のダイナミックダンパー４０・・を１ｍ2当たり３ｋｇで分散配置するといった複合的な遮音対策を講じている。これにより、床パネル２・・の重量付加を軽減して構造躯体の負担を極力抑え、高価なダイナミックダンパー４０・・の個数増大を軽減してコスト低減を図りながらも、重量床衝撃音及び軽量床衝撃音の遮断性能をそれぞれ１０ｄＢ向上して、床衝撃音の遮音等級Ｌ−５５（重量床衝撃音の遮音等級ＬＨ−５５、軽量床衝撃音の遮音等級ＬＬ−５５）を実現している。
【００４８】
図１３は、以下に示す実施例及び比較例１〜３の床・天井構造に対して、重量床衝撃音の遮断性能試験（子供の飛び跳ね等による重量音を想定したバングマシン等を使用した試験）を実施したときの試験結果を示し、図１４は、実施例及び比較例１〜３の床・天井構造に対して、軽量床衝撃音の遮断性能試験（スリッパのパタパタ音や軽量物を落とした音を想定したタッピングマシン等を使用した試験）を実施したときの試験結果を示している。
【００４９】
実施例の床・天井構造は、この発明の床・天井構造に相当するものであって、面密度１２０ｋｇ／ｍ2の床パネル２・・（以下、「高遮音床パネル」と称する。）を使用するとともに、防振吊り具９・・によって吊り下げ支持した天井下地材３において複数のダイナミックダンパー４０・・を１ｍ2当たり３ｋｇで分散配置した構造（以下、「高遮音天井下地」と称する。）となっている。比較例１の床・天井構造は、面密度６５ｋｇ／ｍ2のＡＬＣからなる床パネル（以下、「ＡＬＣ床パネル」と称する。）を使用するとともに、ダイナミックダンパーを設けていない天井下地材を単なる吊り具によって吊り下げ支持した構造（以下、「一般天井下地」と称する。）となっている。比較例２の床・天井構造は、「ＡＬＣ床パネル」及び「高遮音天井下地」を採用した構造となっている。比較例３の床・天井構造は、「高遮音床パネル」及び「一般天井下地」を採用した構造となっている。
【００５０】
重量床衝撃音の遮断性能試験において、図１３に示すように、比較例１ではＬＨ−６５、比較例２ではＬＨ−６０、比較例３ではＬＨ−６０、実施例ではＬＨ−５５であった。また、軽量床衝撃音の遮断性能試験においては、図１４に示すように、比較例１ではＬＬ−６５、比較例２ではＬＬ−６０、比較例３ではＬＬ−６０、実施例ではＬＬ−５５であった。これにより、実施例においては、比較例２及び３と比べると、重量床衝撃音及び軽量床衝撃音の遮断性能がそれぞれ５ｄＢ程度向上し、比較例１と比べると、重量床衝撃音及び軽量床衝撃音の遮断性能がそれぞれ１０ｄＢ程度向上しており、高い遮音性能を有することが判った。
【００５１】
以上に、この発明の実施形態について説明したが、この発明は、上記実施形態に限定されるものではなく、この発明の範囲内で種々変更して実施することが可能である。例えば、この発明の床・天井構造は、新築の戸建て住宅に適用するだけでなく、リフォーム時における床衝撃音対策として既設の戸建て住宅に適用しても良い。また、軽量鉄骨系の戸建て住宅だけでなく、木造住宅やＲＣ造の建物に適用しても良い。
【符号の説明】
【００５２】
１・・床梁材、２・・床パネル、３・・天井下地材、４・・押出成形セメント板、４ａ・・中空部、５・・砂状無機材、９・・防振吊り具、１０・・第１野縁受け、１１・・第２野縁受け、１２・・野縁、４０・・ダイナミックダンパー、４１・・質量体、４２・・弾性体
【図１】
0005505199.tif 000002
【図２】
0005505199.tif 000003
【図３】
0005505199.tif 000004
【図４】
0005505199.tif 000005
【図５】
0005505199.tif 000006
【図６】
0005505199.tif 000007
【図７】
0005505199.tif 000008
【図８】
0005505199.tif 000009
【図９】
0005505199.tif 000010
【図１０】
0005505199.tif 000011
【図１１】
0005505199.tif 000012
【図１２】
0005505199.tif 000013
【図１３】
0005505199.tif 000014
【図１４】
0005505199.tif 000015